(57)【要約】【課題】複数の端子収容室の各々に端子が正常に挿入されているか否かを端子収容室ごとに判定可能なコネクタの検査システムの提供。【解決手段】コネクタの検査システムはコネクタ１と検知具２とを備える。コネクタ１は、複数の端子収容室１２ａ，１２ｂの各々に対応した複数の検知用空間１４ａ，１４ｂ及び複数のランス部１６ａ，１６ｂを有する。検知具２は、複数の検知ピン３３ａ，３３ｂを有する。検知ピンの各々は、複数の検知用空間の各々に挿し込まれたとき、端子１３ａ，１３ｂが正常位置に収容されているときにはランス部に妨げられずに所定の挿入箇所まで到達し、端子が正常位置に収容されていないときにはランス部に妨げられて所定の挿入箇所に到達しない。複数の検知ピンの各々が所定の挿入箇所まで到達しているか否かに基づき、端子収容室ごとに端子が正常に収容されているか否かを判定する。【選択図】図３
2019021386.tif 000002
【特許請求の範囲】
【請求項１】
複数の端子収容室を有するコネクタと、前記複数の端子収容室の各々に端子が正常に収容されているか否かを検知する検知具と、を備えた、コネクタの検査システムであって、
前記コネクタは、
前記複数の端子収容室の各々に対応した複数の検知用空間と、
前記複数の端子収容室の各々に対応した複数のランス部であって、前記端子が所定の正常位置に収容されている場合には前記端子を前記正常位置に係止し、前記端子が前記正常位置に収容されていない場合には前記端子から離れる向きに変位して対応する前記検知用空間の中に突出する、複数のランス部と、を有し、
前記検知具は、
前記複数の検知用空間の各々に対応した複数の検知ピンであって、対応する前記検知用空間の中に挿し込まれたとき、前記端子が前記正常位置に収容されている場合には前記ランス部に妨げられずに所定の挿入箇所まで到達し、前記端子が前記正常位置に収容されていない場合には前記ランス部に妨げられて前記挿入箇所に到達しない、複数の検知ピンを有し、
該検査システムは、
前記複数の検知ピンの各々が前記挿入箇所まで到達しているか否かに基づき、前記複数の端子収容室の各々に前記端子が正常に収容されているか否かを判定する、
コネクタの検査システム。
【請求項２】
請求項１に記載の検査システムにおいて、
前記コネクタは、
前記検知ピンの挿入方向に沿って延びる案内リブを、更に有し、
前記案内リブは、
前記検知用空間に挿し込まれた前記検知ピンを、前記端子が前記正常位置に収容されていない場合に前記ランス部が突出することになる箇所を経て、前記挿入箇所に案内する、
コネクタの検査システム。
【請求項３】
請求項２に記載の検査システムにおいて、
前記案内リブは、
互いに向かい合いながら前記検知ピンの挿入方向に沿って延びる一対の突条部を有し、
前記一対の突条部は、
一方の該突条部の突出端と他方の該突条部の突出端との間隔が、前記検知用空間に挿し込まれた前記検知ピンが通り抜け不能な間隔であり、且つ、前記検知用空間の中に突出した前記ランス部が通り抜け可能な間隔である、ように構成された、
コネクタの検査システム。
【請求項４】
請求項２又は請求項３に記載の検査システムにおいて、
前記案内リブは、
一の前記端子収容室と他の前記端子収容室とに挟まれた位置に設けられ、該案内リブの一の側面によって前記一の前記端子収容室に対応した前記検知用空間を画成し、該案内リブの他の側面によって前記他の前記端子収容室に対応した前記検知用空間を画成する、
コネクタの検査システム。
【発明の詳細な説明】
【技術分野】
【０００１】
本発明は、複数の端子収容室を有するコネクタと、複数の端子収容室の各々に端子が正常に収容されているか否かを検知する検知具と、を備えた、コネクタの検査システム、に関する。
【背景技術】
【０００２】
従来から、コネクタの端子収容室に端子（端子金具）が正常に収容されているか否かを判定するための各種の検査構造が提案されている（例えば、特許文献１〜３を参照。）。
【０００３】
例えば、従来の検査構造の一つは、隣接する２つの端子収容室に挟まれる位置に１つの検知用空間を設け、この検知用空間に外部から一本の検知ピンを挿し込むようになっている。また、端子収容室に端子が本来の位置まで挿入されていない場合、端子を係止するためのランスが、検知用空間の中に突出するように湾曲するようになっている。よって、端子が本来の位置まで挿入されていない場合、検知用空間に挿し込まれた検知ピンは、ランスに突き当たって検知用空間の中に十分に入り込めない。従来の検査構造は、検知ピンを検知用空間の中に十分に挿し込めるか否かに基づき、端子収容室に端子が正常に収容されているか否かを判定するようになっている（例えば、特許文献１を参照。）。
【先行技術文献】
【特許文献】
【０００４】
【特許文献１】実開平７−４２０７８号公報
【特許文献２】特開２０１５−１７０４７８号公報
【特許文献３】特開平７−１６１４２９号公報
【発明の概要】
【発明が解決しようとする課題】
【０００５】
上述した従来の検査構造では、１つの検知用空間を用いて２つの端子収容室に対して端子が正常に収容されているか否かを判定することになる。そのため、検知ピンが検知用空間の中に十分に挿し込めない場合、２つの端子収容室のどちらに端子が正常に挿入されていないのか、又は、２つの端子収容室の双方に端子が正常に挿入されていないのか、を判断できない。しかし、コネクタの品質をより厳密に評価する観点等から、複数の端子収容室を有するコネクタについて、端子収容室の各々に対して端子が正常に挿入されているか否かを端子収容室ごとに判定することが望ましい。
【０００６】
本発明は、上述した事情に鑑みてなされたものであり、その目的は、複数の端子収容室を有するコネクタについて、端子収容室の各々に端子が正常に挿入されているか否かを端子収容室ごとに判定可能なコネクタの検査システム、を提供することにある。
【課題を解決するための手段】
【０００７】
前述した目的を達成するために、本発明に係るコネクタの検査システムは、下記（１）〜（４）を特徴としている。
（１）
複数の端子収容室を有するコネクタと、前記複数の端子収容室の各々に端子が正常に収容されているか否かを検知する検知具と、を備えた、コネクタの検査システムであって、
前記コネクタは、
前記複数の端子収容室の各々に対応した複数の検知用空間と、
前記複数の端子収容室の各々に対応した複数のランス部であって、前記端子が所定の正常位置に収容されている場合には前記端子を前記正常位置に係止し、前記端子が前記正常位置に収容されていない場合には前記端子から離れる向きに変位して対応する前記検知用空間の中に突出する、複数のランス部と、を有し、
前記検知具は、
前記複数の検知用空間の各々に対応した複数の検知ピンであって、対応する前記検知用空間の中に挿し込まれたとき、前記端子が前記正常位置に収容されている場合には前記ランス部に妨げられずに所定の挿入箇所まで到達し、前記端子が前記正常位置に収容されていない場合には前記ランス部に妨げられて前記挿入箇所に到達しない、複数の検知ピンを有し、
該検査システムは、
前記複数の検知ピンの各々が前記挿入箇所まで到達しているか否かに基づき、前記複数の端子収容室の各々に前記端子が正常に収容されているか否かを判定する、
コネクタの検査システムであること。
（２）
上記（１）に記載の検査システムにおいて、
前記コネクタは、
前記検知ピンの挿入方向に沿って延びる案内リブを、更に有し、
前記案内リブは、
前記検知用空間に挿し込まれた前記検知ピンを、前記端子が前記正常位置に収容されていない場合に前記ランス部が突出することになる箇所を経て、前記挿入箇所に案内する、
コネクタの検査システムであること。
（３）
上記（２）に記載の検査システムにおいて、
前記案内リブは、
互いに向かい合いながら前記検知ピンの挿入方向に沿って延びる一対の突条部を有し、
前記一対の突条部は、
一方の該突条部の突出端と他方の該突条部の突出端との間隔が、前記検知用空間に挿し込まれた前記検知ピンが通り抜け不能な間隔であり、且つ、前記検知用空間の中に突出した前記ランス部が通り抜け可能な間隔である、ように構成された、
コネクタの検査システムであること。
（４）
上記（２）又は上記（３）に記載の検査システムにおいて、
前記案内リブは、
一の前記端子収容室と他の前記端子収容室とに挟まれた位置に設けられ、該案内リブの一の側面によって前記一の前記端子収容室に対応した前記検知用空間を画成し、該案内リブの他の側面によって前記他の前記端子収容室に対応した前記検知用空間を画成する、
コネクタの検査システムであること。
【０００８】
上記（１）の構成のコネクタの検査システムによれば、複数の端子収容室の各々に対応するように複数の検知用空間および複数のランス部がコネクタに設けられ、これら複数の検知用空間の各々に対応するように複数の検知ピンが検知具に設けられる。よって、検知ピンの各々が所定の挿入箇所に到達しているか否かに着目することにより、端子収容室ごとに端子が正常に挿入されているか否かを判定できる。したがって、本構成のコネクタの検査システムは、複数の端子収容室を有するコネクタについて、端子収容室の各々に端子が正常に挿入されているか否かを端子収容室ごとに判定可能である。
【０００９】
上記（２）の構成のコネクタの検査システムによれば、検知ピンを案内リブに沿わせながら検知用空間に挿し込むことにより、ランス部が突出することになる箇所を経て挿入箇所にまで、検知ピンを容易かつ確実に移動させられる。よって、コネクタを検査する際の作業性を向上できる。
【００１０】
上記（３）の構成のコネクタの検査システムによれば、案内リブが、互いに向かい合いながら検知ピンの挿入方向に沿って延びる一対の突条部を有する。更に、一対の突条部は、突出端同士の間隔が、検知ピンが通り抜け不能であり且つランス部が通り抜け可能な間隔であるように構成されている。よって、案内リブをコネクタに追加しても、ランス部の変形（検知用空間の中への突出）は何ら妨げられず、且つ、案内リブの本来の機能（検知ピンの案内）も何ら損なわれることがない。別の言い方をすると、ランス部の変形量（検知用空間の中への突出量）を十分に大きな値に設計することと、検知ピンが適正な経路を経るように案内することと、を両立できる。
【００１１】
上記（４）の構成のコネクタの検査システムによれば、１つの案内リブが、隣接する２つの端子収容室に対応した２つの検知用空間を画成することになる。換言すると、２つの検知用空間が１つの案内リブを共用することになる。よって、２つの検知用空間の各々に案内リブを設ける場合に比べ、コネクタを小型化し得る。
【発明の効果】
【００１２】
本発明によれば、複数の端子収容室を有するコネクタについて、複数の端子収容室を有するコネクタについて、端子収容室の各々に端子が正常に挿入されているか否かを端子収容室ごとに判定可能なコネクタの検査システムを提供できる。
【００１３】
以上、本発明について簡潔に説明した。更に、以下に説明される発明を実施するための形態（以下「実施形態」という。）を添付の図面を参照して通読することにより、本発明の詳細は更に明確化されるであろう。
【図面の簡単な説明】
【００１４】
【図１】図１（ａ）は、本発明の実施形態に係るコネクタの検査システムの斜視図であり、図１（ｂ）は、その検査システムの内部構造の斜視図である。
【図２】図２（ａ）は、図１（ｂ）に示す内部構造の上面図であり、図２（ｂ）は、その内部構造の側面図である。
【図３】図３（ａ）は、図２（ｂ）のＡ−Ａ断面図であり、図３（ｂ）は、コネクタと検知具とを分離した状態の図３（ａ）に対応する断面図である。
【図４】図４は、各部材の寸法の大小関係を説明するための図である。
【図５】図５（ａ）は、２つの端子収容室に挿入された２つの端子の双方が正常位置に収容されている場合における検査システムの検知状態を示し、図５（ｂ）は、２つの端子の一方が正常位置に収容され他方が中途位置に収容されている場合における検査システムの検知状態を示し、図５（ｃ）は、図５（ｂ）のＡ部拡大図である。
【発明を実施するための形態】
【００１５】
＜実施形態＞
以下、図面を参照しながら、本発明の実施形態に係るコネクタの検査システムについて説明する。図１に示すように、この検査システムは、コネクタ１と、コネクタ１内にて端子が正常に収容されているか否かを検知するための検知具２と、を有する。検知具２は、チェッカ・フィクスチャとも呼ばれる。
【００１６】
以下、説明の便宜上、図１（ａ）に示すように、「前後方向」、「左右方向」、「上下方向」、「前」、「後」、「左」、「右」、「上」及び「下」を定義する。「左」、「右」、「上」及び「下」については、コネクタ１と検知具２との双方に共通であるが、「前」及び「後」については、コネクタ１と検知具２とで互いに逆方向となっている。また、左右一対の構成については、左側の構成について符号の末尾に「ａ」を、右側の構成について符号の末尾に「ｂ」を付す。左右の区別が不要の場合、符号の末尾に「ａ」及び「ｂ」の何れも付さないこともある。
【００１７】
以下、先ず、コネクタ１について、図１〜図４を参照しながら説明する。図３他に示すように、コネクタ１は、樹脂製のハウジング１１を備える。ハウジング１１には、前後方向に貫通する左右一対の端子収容室１２ａ，１２ｂが、左右方向に離間して形成されている。端子収容室１２ａ，１２ｂには、それぞれ、電線Ｗａ，Ｗｂの端部に接続された金属製の端子（具体的には、雌端子）１３ａ，１３ｂが後方から挿入され、収容されている。
【００１８】
図３及び図４に示すように、ハウジング１１における端子収容室１２ａ，１２ｂの間の前側部分には、前方に向けて開口する検知用空間１４が形成されている。ハウジング１１には、検知用空間１４を画成する上壁および下壁の双方の左右方向中央位置にて、一対のリブ１５（特に、図３（ｂ）及び図４参照）が、検知用空間１４内に向けて上下方向に互いに向かい合うように突出し且つ前後方向に延びるように、形成されている。
【００１９】
一対のリブ１５の左側面によって端子収容室１２ａに対応した検知用空間１４ａ（検知用空間１４の左半分に相当する空間）が画成され、一対のリブ１５の右側面によって端子収容室１２ｂに対応した検知用空間１４ｂ（検知用空間１４の右半分に相当する空間）が画成されている。
【００２０】
ハウジング１１には、一対の端子収容室１２ａ，１２ｂの各々に対応する一対のランス部１６ａ，１６ｂが形成されている。ランス部１６ａ，１６ｂの各々は、後端が固定端で前端が左右方向に変位可能な自由端である片持ち梁状の形状を有している。ランス部１６ａ，１６ｂは、検知用空間１４の奥部（後側部分）に向かって延び且つ左右方向に対向するように配置されている。
【００２１】
ランス部１６ａ，１６ｂは、端子１３ａ，１３ｂが端子収容室１２ａ，１２ｂの正常位置に収容されている場合、端子１３ａ，１３ｂを正常位置に係止する。これに対し、ランス部１６ａ，１６ｂは、端子１３ａ，１３ｂが正常位置まで到達しない中途位置に収容されている場合、端子１３ａ，１３ｂから離れる向きに変位（湾曲）して検知用空間１４の中に突出するようになっている。
【００２２】
図３（ａ）に示す例では、端子１３ａは、端子収容室１２ａの正常位置に収容されている。このため、ランス部１６ａは、端子１３ａの所定部位と係合することにより、端子１３ａを正常位置に係止して端子１３ａの後側への抜けを防止する機能を発揮している。このとき、ランス部１６ａは、端子１３ａから離れる向き（即ち、右向き）には変位しておらず、検知用空間１４ａの中に突出していない。
【００２３】
一方、端子１３ｂは、端子収容室１２ｂの中途位置に収容されている。このため、ランス部１６ｂは、端子１３ｂの所定位置から押圧されて端子１３ｂから離れる向き（即ち、左向き）に変位しており、検知用空間１４ｂの中に突出している。このとき、ランス部１６ｂは、端子１３ｂの後側への抜けを防止する機能を発揮していない。
【００２４】
次いで、検知具２について、図１〜図４を参照しながら説明する。検知具２は、一対の側板および底板からなる前後方向に延びる金属製の基板２１を有する。基板２１は、例えば、作業台（図示省略）などに載置・固定される。基板２１の前端部には、コネクタ１を保持するための一対の樹脂製の保持部材２２が、左右方向に対向するように配置・固定されている。コネクタ１は、一対の保持部材２２の間の基板２１上に配置・固定される。
【００２５】
基板２１の上には、一対の側板および天板からなる前後方向に延びる金属製のカバー２３が、基板２１に対して前後方向に相対移動可能に載置されている。カバー２３は、レバー２４、及びリンク２５を介して基板２１と連結されている。その結果、レバー２４を前後方向に回動操作することにより、基板２１に対するカバー２３の前後方向位置が調整可能となっている。
【００２６】
図１（ｂ）及び図２に示すように、カバー２３の内側面には、樹脂製のコネクタ収容部材２６が一体に設けられている。コネクタ収容部材２６は、収容部２７と、収容部２７の後側に一体に設けられたシリンダ部２８と、からなる。
【００２７】
図３に示すように、収容部２７は、前方に向けて開口する筐体を構成している。収容部２７の内部には、コネクタ１のハウジング１１を収容するためのコネクタ収容空間２９（図３（ｂ）を参照）が形成されている。シリンダ部２８には、前後方向に貫通する断面矩形状の左右一対のシリンダ孔が形成されており、これら一対のシリンダ孔には断面矩形状の樹脂製の一対のピストン３１ａ，３１ｂが前後方向に摺動可能に挿通されている。
【００２８】
ピストン３１ａ，３１ｂの後端部には、フランジ部３２ａ，３２ｂがそれぞれ一体に設けられており、フランジ部３２ａ，３２ｂの各々は、シリンダ部２８の後端面２８ｃに係止可能となっている。ピストン３１ａ，３１ｂの前端部には、前方に向けて突出する断面矩形状の検知ピン３３ａ，３３ｂがそれぞれ一体に設けられている。
【００２９】
ピストン３１ａ，３１ｂの各々には、前後方向に貫通する断面円形の貫通孔が形成されており、これら一対の貫通孔には、断面円形の金属製の導通ピン３４ａ，３４ｂが挿通されている。導通ピン３４ａ，３４ｂの後端部には、フランジ部３５ａ，３５ｂがそれぞれ一体に設けられており、フランジ部３５ａ，３５ｂがフランジ部３２ａ，３２ｂの後端面に係止される位置にて、導通ピン３４ａ，３４ｂがピストン３１ａ，３１ｂに対してそれぞれ固定されている。この状態にて、導通ピン３４ａ，３４ｂの先端部（前端部）が、ピストン３１ａ，３１ｂの前端面から前方に突出している。
【００３０】
このように、シリンダ部２８に対して、ピストン３１ａ，３１ｂ（即ち、検知ピン３３ａ，３３ｂ）及び導通ピン３４ａ，３４ｂが一体で前後方向に相対移動可能となっている。図３（ｂ）に示すように、ピストン３１ａ，３１ｂのフランジ部３２ａ，３２ｂがシリンダ部２８の後端面２８ｃに係止された状態では、検知ピン３３ａ，３３ｂ及び導通ピン３４ａ，３４ｂは、コネクタ収容空間２９内に進入し、コネクタ収容空間２９の底面２７ｃから前方に突出している。検知ピン３３ａ，３３ｂの底面２７ｃからの突出長さは、導通ピン３４ａ，３４ｂの突出長さよりも大きい。
【００３１】
図１に示すように、カバー２３の天板の後端部には、金属製の延設板４１が脱着可能に後方に延設されている。延設板４１の下面には、図１〜図３に示すように、樹脂製の固定部材４２が一体に設けられている。固定部材４２には、前後方向に貫通する断面円形の左右一対の貫通孔が形成されており、これら一対の貫通孔には断面円形の金属製の一対の摺動ピン４３ａ，４３ｂが前後方向に摺動可能に挿通されている。
【００３２】
摺動ピン４３ａ，４３ｂの前後方向の前端側の位置には、フランジ部４４ａ，４４ｂがそれぞれ一体に設けられており、フランジ部４４ａ，４４ｂと固定部材４２との間には、コイルスプリング４５ａ，４５ｂがそれぞれ介装されている。延設板４１（よって、固定部材４２）がカバー２３に設けられた状態では、圧縮されたコイルスプリング４５ａ，４５ｂの付勢力により、摺動ピン４３ａ，４３ｂの先端面が、導通ピン３４ａ，３４ｂのフランジ部３５ａ，３５ｂ（よって、ピストン３１ａ，３１ｂ）を前方に常時押圧している。その結果、図３（ｂ）に示すように、ピストン３１ａ，３１ｂのフランジ部３２ａ，３２ｂがシリンダ部２８の後端面２８ｃに係止されて、検知ピン３３ａ，３３ｂ及び導通ピン３４ａ，３ｂがコネクタ収容空間２９の底面２７ｃから前方に突出している状態が維持されるようになっている。
【００３３】
コネクタ１のハウジング１１が一対の保持部材２２の間の基板２１上に配置・固定された状態では、図３（ｂ）に示すように、検知ピン３３ａ，３３ｂは、ハウジング１１内の検知用空間１４ａ，１４ｂを向いて底面２７ｃから前方に突出し、導通ピン３４ａ，３４ｂは、ハウジング１１の端子収容室１２ａ，１２ｂに収容されている端子１３ａ，１３ｂの所定の金属部分を向いて底面２７ｃから前方に突出している。
【００３４】
ここで、図４を参照しながら、検知用空間１４、ランス部１６ａ，１６ｂ、及び、検知ピン３３ａ，３３ｂの寸法関係について説明する。図４に示すように、ランス部１６ａ，１６ｂの上下方向寸法ａは、一対のリブ１５の突出端同士の上下方向の隙間寸法ｂよりも小さい。更に、隙間寸法ｂは、検知ピン３３ａ，３３ｂの上下方向寸法ｃより小さい。別の言い方をすると、一対のリブ１５の隙間寸法ｂが、検知ピン３３ａ，３３ｂが通り抜け不能であり且つランス部１６ａ，１６ｂが通り抜け可能な寸法となっている。その結果、一対のリブ１５を設けても、ランス部１６ａ，１６ｂの変形（検知用空間１４の中への突出）は何ら妨げられず、且つ、検知ピン３３ａ，３３ｂを検知用空間１４内へ案内するリブ１５の本来の機能も何ら損なわれることがない。
【００３５】
更に、検知用空間１４ａ，１４ｂの各々の左右方向寸法ｄが、検知ピン３３ａ，３３ｂの各々の左右方向寸法ｅより大きい。その結果、検知ピン３３ａ，３３ｂを検知用空間１４ａ，１４ｂ内にそれぞれスムーズに差し込むことができる。
【００３６】
図３（ｂ）に示す状態にて、図１に示すように、レバー２４を前方側へ回動すると、カバー２３が前方へ移動するに伴い、コネクタ収容部材２６及び固定部材４２もカバー２３と一体で前方へ移動する。その結果、コネクタ収容部材２６及び固定部材４２がコネクタ１のハウジング１１に近付き、図３（ａ）に示すように、ハウジング１１の前端面１１ｃ（図３（ｂ）を参照）がコネクタ収容空間２９の底面２７ｃに当接するまで、ハウジング１１がコネクタ収容部材２６のコネクタ収容空間２９内に収容される。
【００３７】
これに伴い、検知ピン３３ａ，３３ｂが検知用空間１４内に差し込まれる。このとき、端子１３ａ，１３ｂが端子収容室１２ａ，１２ｂの正常位置に収容されている場合、ランス部１６ａ，１６ｂが検知用空間１４の中に突出（変位）していないことにより、検知ピン３３ａ，３３ｂは、ランス部１６ａ，１６ｂに妨げられることなく所定の挿入箇所まで到達する。一方、端子１３ａ，１３ｂが端子収容室１２ａ，１２ｂの中途位置に収容されている場合、ランス部１６ａ，１６ｂが検知用空間１４の中に突出（変位）していることにより、検知ピン３３ａ，３３ｂは、ランス部１６ａ，１６ｂに妨げられて所定の挿入箇所まで到達し得ない。
【００３８】
図３（ａ）に示す例では、端子１３ａは、端子収容室１２ａの正常位置に収容されている。このため、検知ピン３３ａは、ランス部１６ａに妨げられることなく所定の挿入箇所まで到達し、ピストン３１ａのフランジ部３２ａがシリンダ部２８の後端面２８ｃに係止された状態が維持されている（図１（ｂ）も参照）。その結果、導通ピン３４ａの先端が端子１３ａの所定の金属部分と接触している。なお、導通ピン３４ａと端子１３ａとが接触している状態にて、コイルスプリング４５ａの付勢力に抗して、ピストン３１ａのフランジ部３２ａがシリンダ部２８の後端面２８ｃから多少離れていてもよい。
【００３９】
一方、端子１３ｂは、端子収容室１２ｂの中途位置に収容されている。このため、検知ピン３３ｂの先端が、検知用空間１４ｂ側に変位しているランス部１６ｂと当接し、これ以上前方へ移動できない。その結果、検知ピン３３ｂ（よって、ピストン３１ｂ）が、コイルスプリング４５ｂの付勢力に抗して、コネクタ収容部材２６（よって、ハウジング１１）に対して相対的に後方に移動する。このため、ピストン３１ｂのフランジ部３２ｂがシリンダ部２８の後端面２８ｃから後方に離間した状態となっている（図１（ｂ）も参照）。この状態では、ピストン３１ｂと一体で移動する導通ピン３４ｂもハウジング１１に対して相対的に後方に移動するため、導通ピン３４ｂの先端が端子１３ｂの所定の金属部分と離間している。
【００４０】
このように、端子１３ａ，１３ｂが端子収容室１２ａ，１２ｂの正常位置に収容されている場合、検知ピン３３ａ，３３ｂが所定の挿入箇所まで到達する。その結果、ピストン３１ａ，３１ｂのフランジ部３２ａ，３２ｂがシリンダ部２８の後端面２８ｃに係止された状態が維持されて、導通ピン３４ａ，３４ｂの先端が端子１３ａ，１３ｂの所定の金属部分と接触する。なお、導通ピン３４ａと端子１３ａとが接触している状態にて、コイルスプリング４５ａの付勢力に抗して、ピストン３１ａのフランジ部３２ａがシリンダ部２８の後端面２８ｃから多少離れていてもよい。ピストン３１ｂのフランジ部３２ｂについても同様である。一方、端子１３ａ，１３ｂが端子収容室１２ａ，１２ｂの中途位置に収容されている場合、検知ピン３３ａ，３３ｂが所定の挿入箇所まで到達し得ない。その結果、ピストン３１ａ，３１ｂのフランジ部３２ａ，３２ｂがシリンダ部２８の後端面２８ｃから後方側に離間し、導通ピン３４ａ，３４ｂの先端が端子１３ａ，１３ｂの所定の金属部分と離間する。
【００４１】
本発明の実施形態に係るコネクタの検査システムは、この原理を利用し、コネクタ１の端子収容室１２ａ，１２ｂに端子１３ａ，１３ｂが正常に収容されているか否かを、端子収容室１２ａ，１２ｂの各々について検知する。以下、この点について、図５を参照しながら説明する。
【００４２】
図５に示すように、本検査システムでは、検知機構の一例として、摺動ピン４３ａ，４３ｂの各々と電源Ｂの正極端子とを接続し、電線Ｗａを検査用ランプＨａを介して電源Ｂの負極端子と接続し、電線Ｗｂを検査用ランプＨｂを介して電源Ｂの負極端子と接続するように、電気回路が構成されている。
【００４３】
図５（ａ）に示すように、端子１３ａ，１３ｂの双方が端子収容室１２ａ，１２ｂの正常位置に収容されている場合、導通ピン３４ａ，３４ｂの先端が端子１３ａ，１３ｂの所定の金属部分とそれぞれ接触している。よって、検査用ランプＨａについて、摺動ピン４３ａ、導通ピン３４ａ、端子１３ａ、及び、電線Ｗａを介して閉回路が構成される。更に、検査用ランプＨｂについて、摺動ピン４３ｂ、導通ピン３４ｂ、端子１３ｂ、及び、電線Ｗｂを介して閉回路が構成される。その結果、検査用ランプＨａ，Ｈｂの双方が点灯する。
【００４４】
一方、図５（ｂ）に示すように、端子１３ａが端子収容室１２ａの正常位置に収容され、端子１３ｂが端子収容室１２ｂの中途位置に収容されている場合、導通ピン３４ａの先端が端子１３ａの所定の金属部分と接触する一方で、図５（ｃ）に示すように、導通ピン３４ｂの先端が端子１３ｂの所定の金属部分と離間している。よって、検査用ランプＨａについて、摺動ピン４３ａ、導通ピン３４ａ、端子１３ａ、及び、電線Ｗａを介して閉回路が構成される。しかし、検査用ランプＨｂについては、導通ピン３４ｂと端子１３ｂとが離間していることに起因して、閉回路が構成されない。その結果、検査用ランプＨａが点灯し、検査用ランプＨｂが消灯する。
【００４５】
このように、本発明の実施形態に係るコネクタの検査システムでは、検査用ランプＨａ，Ｈｂが点灯しているか否かに着目することにより、端子収容室１２ａ，１２ｂごとに端子１３ａ，１３ｂが正常位置に収容されているか否かを判定することができる。
【００４６】
以上に説明したように、本発明の実施形態に係るコネクタの検査システムによれば、複数の端子収容室１２ａ，１２ｂの各々に対応した複数の検知用空間１４ａ，１４ｂおよび複数のランス部１６ａ，１６ｂがコネクタ１に設けられ、これら複数の検知用空間１４ａ，１４ｂの各々に対応した複数の検知ピン３３ａ，３３ｂが検知具２に設けられる。よって、所定の挿入箇所に到達していない個々の検知ピン３３ａ，３３ｂに着目することにより、個々の端子収容室１２ａ，１２ｂごとに端子１３ａ，１３ｂが正常に挿入されているか否かを判定できる。したがって、本構成のコネクタの検査システムは、複数の端子収容室１２ａ，１２ｂを有するコネクタ１について、個々の端子収容室１２ａ，１２ｂごとに端子１３ａ，１３ｂが正常に挿入されているか否かを判定可能である。
【００４７】
更に、コネクタ１に設けられた一対のリブ１５は、検知用空間１４に挿し込まれた検知ピン３３ａ，３３ｂを、端子１３ａ，１３ｂが正常位置に収容されていないときにランス部１６ａ，１６ｂが突出することになる箇所を経て、所定の挿入箇所まで案内する。このため、検知用空間１４に検知ピン３３ａ，３３ｂを挿し込むとき、リブ１５によって検知ピン３３ａ，３３ｂを容易かつ確実にランス部１６ａ，１６ｂが突出することになる箇所を経て所定の挿入箇所に挿し込むことができる。よって、コネクタ１の検査の作業性を向上できる。
【００４８】
更に、一対のリブ１５は、突出端同士の間隔ｂ（図４を参照）が、検知ピン３３ａ，３３ｂが通り抜け不能であり且つランス部１６ａ，１６ｂが通り抜け可能な間隔であるように構成されている。そのため、一対のリブ１５を設けても、ランス部１６ａ，１６ｂの変形（検知用空間１４の中への突出）は何ら妨げられず、且つ、検知ピン３３ａ，３３ｂを案内する本来の機能も何ら損なわれることがない。別の言い方をすると、ランス部１６ａ，１６ｂの変形量（検知用空間１４の中への突出量）を十分に大きく確保しながら、検知ピン３３ａ，３３ｂを案内する機能をコネクタ１に持たせることができる。
【００４９】
更に、一対のリブ１５が、隣接する２つの端子収容室１２ａ，１２ｂに対応した２つの検知用空間１４ａ，１４ｂを画成している。よって、２つの端子収容室１２ａ，１２ｂの各々にリブを設ける場合に比べ、コネクタ１を小型化し得る。
【００５０】
＜他の態様＞
なお、本発明は上記各実施形態に限定されることはなく、本発明の範囲内において種々の変形例を採用できる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５１】
例えば、上記実施形態では、検知機構の一例として、検査用ランプＨａ，Ｈｂが点灯しているか否かに着目することにより、端子収容室１２ａ，１２ｂごとに端子１３ａ，１３ｂが正常位置に収容されているか否かを判定しいている（図５を参照）。これに対し、ピストン３１ａ，３１ｂのフランジ部３２ａ，３２ｂが、シリンダ部２８の後端面２８ｃに係止されているか、後端面２８ｃから後方に離間しているかを目視することにより、端子収容室１２ａ，１２ｂごとに端子１３ａ，１３ｂが正常位置に収容されているか否かを判定してもよい。この場合、延設板４１、固定部材４２、摺動ピン４３ａ，４３ｂ、コイルスプリング４５ａ，４５ｂ、及び、図５に示す電気回路が省略され得る。
【００５２】
更に、上記実施形態では、一対のリブ１５によって、検知用空間１４が検知用空間１４ａ，１４ｂに区画されている。これに対し、検知用空間１４を画成する上壁および下壁の双方の左右方向中央位置同士を上下方向に連続して繋ぐリブによって、検知用空間１４が検知用空間１４ａ，１４ｂに区画されていてもよい。
【００５３】
更に、上記実施形態では、コネクタ１に設けられた２つの端子収容室１２ａ，１２ｂに対し、端子収容室１２ａ，１２ｂごとに端子１３ａ，１３ｂが正常位置に収容されているか否かを判定しているが、コネクタ１に設けられた３つ以上の端子収容室１２ａ，１２ｂに対して、端子収容室１２ａ，１２ｂごとに端子１３ａ，１３ｂが正常位置に収容されているか否かを判定するように構成されてもよい。
【００５４】
ここで、上述した本発明に係るコネクタの検査システムの実施形態の特徴をそれぞれ以下（１）〜（４）に簡潔に纏めて列記する。
（１）
複数の端子収容室（１２ａ，１２ｂ）を有するコネクタ（１）と、前記複数の端子収容室（１２ａ，１２ｂ）の各々に端子（１３ａ，１３ｂ）が正常に収容されているか否かを検知する検知具（２）と、を備えた、コネクタの検査システムであって、
前記コネクタ（１）は、
前記複数の端子収容室（１２ａ，１２ｂ）の各々に対応した複数の検知用空間（１４ａ，１４ｂ）と、
前記複数の端子収容室（１２ａ，１２ｂ）の各々に対応した複数のランス部（１６ａ，１６ｂ）であって、前記端子（１３ａ，１３ｂ）が所定の正常位置に収容されている場合には前記端子（１３ａ，１３ｂ）を前記正常位置に係止し、前記端子（１３ａ，１３ｂ）が前記正常位置に収容されていない場合には前記端子（１３ａ，１３ｂ）から離れる向きに変位して対応する前記検知用空間（１４ａ，１４ｂ）の中に突出する、複数のランス部（１６ａ，１６ｂ）と、を有し、
前記検知具（２）は、
前記複数の検知用空間（１４ａ，１４ｂ）の各々に対応した複数の検知ピン（３３ａ，３３ｂ）であって、対応する前記検知用空間（１４ａ，１４ｂ）の中に挿し込まれたとき、前記端子（１３ａ，１３ｂ）が前記正常位置に収容されている場合には前記ランス部（１６ａ，１６ｂ）に妨げられずに所定の挿入箇所まで到達し、前記端子（１３ａ，１３ｂ）が前記正常位置に収容されていない場合には前記ランス部（１６ａ，１６ｂ）に妨げられて前記挿入箇所に到達しない、複数の検知ピン（３３ａ，３３ｂ）を有し、
該検査システムは、
前記複数の検知ピン（３３ａ，３３ｂ）の各々が前記挿入箇所まで到達しているか否かに基づき、前記複数の端子収容室（１２ａ，１２ｂ）の各々に前記端子（１３ａ，１３ｂ）が正常に収容されているか否かを判定する、
コネクタの検査システム。
（２）
上記（１）に記載の検査システムにおいて、
前記コネクタ（１）は、
前記検知ピン（３３ａ，３３ｂ）の挿入方向に沿って延びる案内リブ（１５）を、更に有し、
前記案内リブ（１５）は、
前記検知用空間（１４ａ，１４ｂ）に挿し込まれた前記検知ピン（３３ａ，３３ｂ）を、前記端子（１３ａ，１３ｂ）が前記正常位置に収容されていない場合に前記ランス部（１６ａ，１６ｂ）が突出することになる箇所を経て、前記挿入箇所に案内する、
コネクタの検査システム。
（３）
上記（２）に記載の検査システムにおいて、
前記案内リブ（１５）は、
互いに向かい合いながら前記検知ピン（３３ａ，３３ｂ）の挿入方向に沿って延びる一対の突条部（１５）を有し、
前記一対の突条部（１５）は、
一方の該突条部の突出端と他方の該突条部の突出端との間隔（ｂ）が、前記検知用空間（１４ａ，１４ｂ）に挿し込まれた前記検知ピン（３３ａ，３３ｂ）が通り抜け不能な間隔り、且つ、前記検知用空間（１４ａ，１４ｂ）の中に突出した前記ランス部（１６ａ，１６ｂ）が通り抜け可能な間隔である、ように構成された、
コネクタの検査システム。
（４）
上記（２）又は上記（３）に記載の検査システムにおいて、
前記案内リブ（１５）は、
一の前記端子収容室（１２ａ）と他の前記端子収容室（１２ｂ）とに挟まれた位置に設けられ、該案内リブ（１５）の一の側面によって前記一の前記端子収容室（１２ａ）に対応した前記検知用空間（１４ａ）を画成し、該案内リブ（１５）の他の側面によって前記他の前記端子収容室（１２ｂ）に対応した前記検知用空間（１４ｂ）を画成する、
コネクタの検査システム。
【符号の説明】
【００５５】
１              コネクタ
２              検知具
１２ａ，１２ｂ  端子収容室
１３ａ，１３ｂ  端子
１４ａ，１４ｂ  検知用空間
１５            リブ（案内リブ）
１６ａ，１６ｂ  ランス部
３３ａ，３３ｂ  検知ピン
【図１】
2019021386.tif 000003
【図２】
2019021386.tif 000004
【図３】
2019021386.tif 000005
【図４】
2019021386.tif 000006
【図５】
2019021386.tif 000007